【手続補正書】
【提出日】平成27年12月10日(2015.12.10)
【手続補正１】
【補正対象書類名】特許請求の範囲
【補正対象項目名】全文
【補正方法】変更
【補正の内容】
【特許請求の範囲】
【請求項１】
ワイヤレスネットワークで通信するための装置であって、
送り手からユーザデータを受信し、
中断が原因で前記送り手からのユーザデータの受信を停止し、
前記中断から復帰すると、前記中断前の少なくとも最後の受信されたユーザデータを特定するとともに、前記中断が原因で消失したユーザデータを特定するステータス情報を前記送り手に送信するように構成されたプロセッサを含み、
前記ステータス情報は、前記送り手からポーリング要求を受信することと無関係に送信され、前記ステータス情報が、ステータスプロトコルデータユニット(PDU)を含み、前記ステータスPDUが、最後の受信されたPDUの連番に関連する値を含む肯定応答と、最初の消失したPDUの連番に関連する値および前記最初の消失したPDUに続く連続するPDUの総数を含む否定応答とを含む、装置。
【請求項２】
前記プロセッサが、前記ステータス情報を前記送り手に送信した結果として前記消失したユーザデータを受信するようにさらに構成される請求項1に記載の装置。
【請求項３】
肯定応答が、前記少なくとも最後の受信されたユーザデータに対応する請求項1に記載の装置。
【請求項４】
前記送り手から受信されるユーザデータが、複数のPDUを含む請求項3に記載の装置。
【請求項５】
否定応答が、前記消失したユーザデータに対応する請求項3に記載の装置。
【請求項６】
前記送り手から受信されるユーザデータが、複数のPDUを含む請求項5に記載の装置。
【請求項７】
前記複数のPDUのそれぞれのPDUが、一意の連番を含む請求項6に記載の装置。
【請求項８】
前記プロセッサが、
媒体アクセス制御(MAC)レイヤを使用してユーザデータを受信し、
前記MACレイヤのリセットとは無関係に前記ステータス情報を送信するようにさらに構成される請求項1に記載の装置。
【請求項９】
前記プロセッサが、前記中断から復帰すると直ちに前記ステータス情報を送信するようにさらに構成される請求項1に記載の装置。
【請求項１０】
前記プロセッサが、ユーザデータおよび制御情報のうちの少なくとも一方を送信するように構成された複数の通信チャネルを監視するようにさらに構成され、前記中断が、前記プロセッサが前記送り手からユーザデータを受信するように構成されたチャネル以外の通信チャネルを監視することに起因する請求項1に記載の装置。
【請求項１１】
前記プロセッサが、ユーザデータおよびステータス情報のうちの少なくとも一方を送信するように構成された複数の通信チャネルを監視するようにさらに構成され、前記中断が、前記プロセッサが前記装置に着呼を知らせるように構成されたページングチャネルを監視することに起因する請求項1に記載の装置。
【請求項１２】
前記中断が周期的である請求項11に記載の装置。
【請求項１３】
前記プロセッサが、GSMワイヤレスネットワーク、EDGEワイヤレスネットワーク、UMTSワイヤレスネットワーク、LTEワイヤレスネットワーク、およびLTE Advancedワイヤレスネットワークのうちの少なくとも1つを介して前記送り手からユーザデータを受信するようにさらに構成される請求項1に記載の装置。
【請求項１４】
ワイヤレスネットワークで通信する方法であって、
送り手からユーザデータを受信するステップと、
中断が原因で前記送り手からのユーザデータの受信を停止するステップと、
前記中断から復帰すると、前記中断前の少なくとも最後の受信されたユーザデータを特定するとともに、前記中断が原因で消失したユーザデータを特定するステータス情報を前記送り手に送信するステップとを含み、
前記ステータス情報は、前記送り手からポーリング要求を受信することと無関係に送信され、前記ステータス情報が、ステータスプロトコルデータユニット(PDU)を含み、前記ステータスPDUが、最後の受信されたPDUの連番に関連する値を含む肯定応答と、最初の消失したPDUの連番に関連する値および前記最初の消失したPDUに続く連続するPDUの総数を含む否定応答とを含む、方法。
【請求項１５】
前記ステータス情報を前記送り手に送信するステップの結果として、前記消失したユーザデータを受信するステップをさらに含む請求項14に記載の方法。
【請求項１６】
肯定応答が、前記少なくとも最後の受信されたユーザデータに対応する請求項14に記載の方法。
【請求項１７】
前記送り手から受信されるユーザデータが、複数のPDUを含む請求項16に記載の方法。
【請求項１８】
否定応答が、前記消失したユーザデータに対応する請求項16に記載の方法。
【請求項１９】
前記送り手から受信されるユーザデータが、複数のPDUを含む請求項18に記載の方法。
【請求項２０】
前記複数のPDUのそれぞれのPDUが、一意の連番を含む請求項19に記載の方法。
【請求項２１】
媒体アクセス制御(MAC)レイヤを使用してユーザデータを受信するステップと、
前記MACレイヤのリセットとは無関係に前記ステータス情報を送信するステップとをさらに含む請求項14に記載の方法。
【請求項２２】
前記中断から復帰すると直ちに前記ステータス情報を送信するステップをさらに含む請求項14に記載の方法。
【請求項２３】
前記中断が、前記送り手から呼データを受信するように構成されたチャネル以外の通信チャネルの監視に起因する請求項14に記載の方法。
【請求項２４】
前記中断が、着呼を知らせるように構成されたページングチャネルの監視に起因する請求項14に記載の方法。
【請求項２５】
GSMワイヤレスネットワーク、EDGEワイヤレスネットワーク、UMTSワイヤレスネットワーク、LTEワイヤレスネットワーク、およびLTE Advancedワイヤレスネットワークのうちの少なくとも1つを介して前記送り手からユーザデータを受信するステップをさらに含む請求項14に記載の方法。
【請求項２６】
実行されるときに装置に
送り手からユーザデータを無線で受信させ、
中断が原因で前記送り手からのユーザデータの受信を停止させ、
前記中断から復帰すると、前記中断前の少なくとも最後の受信されたユーザデータを特定するとともに、前記中断が原因で消失したユーザデータを特定するステータス情報を前記送り手に無線で送信させる命令を含み、
前記ステータス情報は、前記送り手からポーリング要求を受信することと無関係に送信され、前記ステータス情報が、ステータスプロトコルデータユニット(PDU)を含み、前記ステータスPDUが、最後の受信されたPDUの連番に関連する値を含む肯定応答と、最初の消失したPDUの連番に関連する値および前記最初の消失したPDUに続く連続するPDUの総数を含む否定応答とを含む、非一時的コンピュータ可読媒体。
【請求項２７】
実行されるときに前記装置に、前記ステータス情報を前記送り手に送信した結果として前記消失したユーザデータを受信させる命令をさらに含む請求項26に記載のコンピュータ可読媒体。
【請求項２８】
肯定応答が、前記少なくとも最後の受信されたユーザデータに対応する請求項26に記載のコンピュータ可読媒体。
【請求項２９】
前記送り手から受信されるユーザデータが、複数のPDUを含む請求項28に記載のコンピュータ可読媒体。
【請求項３０】
否定応答が、前記消失したユーザデータに対応する請求項28に記載のコンピュータ可読媒体。
【請求項３１】
前記送り手から受信されるユーザデータが、複数のPDUを含む請求項30に記載のコンピュータ可読媒体。
【請求項３２】
前記複数のPDUのそれぞれのPDUが、一意の連番を含む請求項31に記載のコンピュータ可読媒体。
【請求項３３】
実行されるときに前記装置に
媒体アクセス制御(MAC)レイヤを使用してユーザデータを受信させ、
前記MACレイヤのリセットとは無関係に前記ステータス情報を送信させる命令をさらに含む請求項26に記載のコンピュータ可読媒体。
【請求項３４】
実行されるときに前記装置に、前記中断から復帰すると直ちに前記ステータス情報を送信させる命令をさらに含む請求項26に記載のコンピュータ可読媒体。
【請求項３５】
実行されるときに前記装置に、ユーザデータおよび制御情報のうちの少なくとも一方を送信するように構成された複数の通信チャネルを監視させる命令をさらに含み、前記中断が、前記装置が前記送り手から呼データを受信するように構成されたチャネル以外の通信チャネルを監視することに起因する請求項26に記載のコンピュータ可読媒体。
【請求項３６】
実行されるときに前記装置に、ユーザデータおよび制御情報のうちの少なくとも一方を送信するように構成された複数の通信チャネルを監視させる命令をさらに含み、前記中断が、前記装置が前記装置に着呼を知らせるように構成されたページングチャネルを監視することに起因する請求項26に記載のコンピュータ可読媒体。
【請求項３７】
実行されるときに前記装置に、GSMワイヤレスネットワーク、EDGEワイヤレスネットワーク、UMTSワイヤレスネットワーク、LTEワイヤレスネットワーク、およびLTE Advancedワイヤレスネットワークのうちの少なくとも1つを介して前記送り手からユーザデータを受信させる命令をさらに含む請求項26に記載のコンピュータ可読媒体。
【請求項３８】
ワイヤレスネットワークで通信するための装置であって、
送り手からユーザデータを受信するための手段と、
前記受信する手段が中断が原因で前記送り手からのユーザデータの受信を停止したかどうかを判定するための手段と、
前記中断から復帰すると、前記中断前の少なくとも最後の受信されたユーザデータを特定するとともに、前記中断が原因で消失したユーザデータを特定するステータス情報を前記送り手に送信するための手段とを含み、
前記ステータス情報は、前記送り手からポーリング要求を受信することと無関係に送信され、前記ステータス情報が、ステータスプロトコルデータユニット(PDU)を含み、前記ステータスPDUが、最後の受信されたPDUの連番に関連する値を含む肯定応答と、最初の消失したPDUの連番に関連する値および前記最初の消失したPDUに続く連続するPDUの総数を含む否定応答とを含む、装置。
【請求項３９】
受信するための前記手段が、前記送信する手段が前記ステータス情報を前記送り手に送信した結果として前記消失したユーザデータを受信するように構成される請求項38に記載の装置。
【請求項４０】
肯定応答が、前記少なくとも最後の受信されたユーザデータに対応する請求項38に記載の装置。
【請求項４１】
前記送り手から受信されるユーザデータが、複数のPDUを含む請求項40に記載の装置。
【請求項４２】
否定応答が、前記消失したユーザデータに対応する請求項40に記載の装置。
【請求項４３】
前記送り手から受信されるユーザデータが、複数のPDUを含む請求項42に記載の装置。
【請求項４４】
前記複数のPDUのそれぞれのPDUが、一意の連番を含む請求項43に記載の装置。
【請求項４５】
受信するための前記手段が、媒体アクセス制御(MAC)レイヤを使用してユーザデータを受信するように構成され、
送信するための前記手段が、前記MACレイヤのリセットとは無関係に前記ステータス情報を送信するように構成される請求項38に記載の装置。
【請求項４６】
送信するための前記手段が、前記中断から復帰すると直ちに前記ステータス情報を送信するように構成される請求項38に記載の装置。
【請求項４７】
ユーザデータおよび制御情報のうちの少なくとも一方を送信するように構成された複数の通信チャネルを監視するための手段をさらに含み、前記中断が、前記監視する手段が前記送り手から呼データを受信するように構成されたチャネル以外の通信チャネルを監視することに起因する請求項38に記載の装置。
【請求項４８】
ユーザデータおよび制御情報のうちの少なくとも一方を送信するように構成された複数の通信チャネルを監視するための手段をさらに含み、前記中断が、前記監視する手段が前記装置に着呼を知らせるように構成されたページングチャネルを監視することに起因する請求項38に記載の装置。
【請求項４９】
前記受信する手段が、GSMワイヤレスネットワーク、EDGEワイヤレスネットワーク、UMTSワイヤレスネットワーク、LTEワイヤレスネットワーク、およびLTE Advancedワイヤレスネットワークのうちの少なくとも1つを介して前記送り手からユーザデータを受信するように構成される請求項38に記載の装置。